(57)【要約】【課題】  歯磨きペーストなどの内容物を、歯ブラシなどの手で保持する用具に塗り付けるにあたって、チューブ容器と用具とを一定の位置関係に保持するよう位置決めし、内容物が用具の適正な位置に適切な量を注出できるようにするチューブ容器を提供すること、また、特別な調整などをすることなく、簡便に注出口と用具との位置関係を決定し保持することができ、コンパクトで廉価なチューブ容器を提供すること。【解決手段】  手で保持する用具に内容物を塗り付けるチューブ容器において、前記内容物が充填されたチューブ容器本体と、前記用具とチューブ容器本体の注出口との位置関係を一定に保持するために注出口近傍の肩部に配置されたガイド部とを備えたことを特徴とする。【選択図】  図１
2010260577.tif 000002
【特許請求の範囲】
【請求項１】
手で保持する用具に内容物を塗り付けるチューブ容器において、
前記内容物が充填されたチューブ容器本体と、前記用具とチューブ容器本体の注出口との位置関係を一定に保持するために注出口近傍の肩部に配置されたガイド部とを備えたことを特徴とするガイド付きチューブ容器。
【請求項２】
ガイド部が、チューブ容器本体と一体に成形されていることを特徴とする請求項１記載のガイド付きチューブ容器。
【請求項３】
ガイド部が、チューブ容器本体とは別体として成形され、前記チューブ容器本体に一体に取り付けられたことを特徴とする請求項１記載のガイド付きチューブ容器。
【請求項４】
ガイド部は、手で保持する用具を下方から支持する載置部と、
前記用具をチューブ容器本体側に押付けることにより、内容物の注出方向における注出口との位置決めを可能とする突当て壁部とを備えていることを特徴とする請求項１から３のいずれかに記載のガイド付きチューブ容器。
【請求項５】
ガイド部は、手で保持する用具の幅と略同一または該幅より若干大きな間隔を有する載置部を隔てて、突当て壁部に対向する位置ずれ防止突起を備えた請求項４記載のガイド付きチューブ容器。
【請求項６】
キャップは、チューブ容器本体の注出口をシールする注出口シール突条を備えるとともに、容器口部の口部係合突条と係合するキャップ係合突条を先端に設けた係合筒部と外周面部との間に、ガイド部を収容可能な空隙部を形成することを特徴とする請求項１から５のいずれかに記載のガイド付きチューブ容器。
【発明の詳細な説明】
【技術分野】
【０００１】
本発明は、内容物が充填され、該内容物を手で保持した用具に塗り付けるように注出するチューブ容器、とくに歯磨きペーストを歯ブラシに注出する歯磨きチューブに適用して好適なチューブ容器に関するものである。
【背景技術】
【０００２】
内容物を充填したチューブ容器からブラシ部に前記内容物を塗り付ける際には、一方の手でブラシを保持し、他方の手でチューブ容器を持って内容物を押し出すという作業が必要である。
この時、ブラシとチューブ容器の注出口とは適正な位置関係に保たなければならないが、通常であればそれほど困難ではないこのような作業でも、片手が不自由であったり、姿勢を保つことが難しい人にとっては、困難な作業となり、介助が必要であったりする。
【０００３】
そこで、従来から、片手が不自由な人や、姿勢を保つことが難しい高齢者が介助なしに歯磨きができるように工夫された用具、ないしはチューブ容器等は知られている（例えば、特許文献１、および特許文献２参照）。
【先行技術文献】
【特許文献】
【０００４】
【特許文献１】特開２０００−３７２３２号公報
【特許文献２】特開２００４−１４９２０７号公報
【発明の概要】
【発明が解決しようとする課題】
【０００５】
上記特許文献１には、歯磨きチューブの開口を下にして保持する保持部材と、当該歯磨きチューブ開口の下方に位置させた状態で歯ブラシを保持する歯ブラシ保持部材とからなる歯磨き介助具が提案されている。
また、上記特許文献２には、歯磨きチューブ等の押出しチューブにフックなどの懸垂具を取付けることができる開口部を設け、該押出しチューブを天井から懸垂具にぶら下げて、寝たきりの高齢者などが使用できるようにしたチューブ容器が提案されている。
【０００６】
しかしながら、上記特許文献１の歯磨き介助具は、Ｌ型材からなる歯磨きチュ−ブ保持手段を壁面等に取付けて、さらに、該Ｌ型材に歯ブラシ保持手段を取り付けるもので、大きな占有スペースを必要とし、構造が複雑で高価なものとなっていた。
また、保持する歯磨きチューブの大きさや形状によって、歯磨きチュ−ブ保持手段と歯ブラシ保持手段との位置関係を調整する必要があるなど、その取扱いも煩雑であった。
【０００７】
上記特許文献２の押出しチューブは、天井からぶら下げられているだけなので、押出しチューブを支える力は軽減されるものの、ペースト状物を塗り付ける歯ブラシなどの用具との位置を一定に保つことは困難であり、ペースト状物が用具からはみ出して床やベッドに落下したり、適切な量を適正な位置に注出することができず無駄が多かった。
【０００８】
本発明は、このような従来技術の問題を解決することを課題とするものであり、歯磨きペーストなどの内容物を、歯ブラシなどの手で保持する用具に塗り付けるにあたって、チューブ容器と用具とを一定の位置関係に保持するよう位置決めし、内容物が用具の適正な位置に適切な量を注出できるようにするチューブ容器を提供することを目的とする。
また、特別な調整などをすることなく、簡便に注出口と用具との位置関係を決定し保持することができ、コンパクトで廉価なチューブ容器を提供することを目的とする。
【課題を解決するための手段】
【０００９】
本発明は、上記の課題を解決するため、ガイド付きチューブ容器として、手で保持する用具に内容物を塗り付けるチューブ容器において、前記内容物が充填されたチューブ容器本体と、前記用具とチューブ容器本体の注出口との位置関係を一定に保持するために注出口近傍の肩部に配置されたガイド部とを備えたことを特徴とする構成を採用する。
【００１０】
ガイド部の一実施形態として、ガイド部が、チューブ容器本体と一体に成形されていることを特徴とする構成を採用する。
また、他の実施形態として、ガイド部が、チューブ容器本体とは別体として成形され、前記チューブ容器本体に一体に取り付けられたことを特徴とする構成を採用する。
【００１１】
さらに、ガイド部の他の実施形態として、ガイド部は、手で保持する用具を下方から支持する載置部と、前記用具をチューブ容器本体側に押付けることにより、内容物の注出方向における注出口との位置決めを可能とする突当て壁部とを備えていることを特徴とする構成を採用し、さらに、当該実施形態において、ガイド部は、手で保持する用具の幅と略同一または該幅より若干大きな間隔を有する載置部を隔てて、突当て壁部に対向する位置ずれ防止突起を備えたことを特徴とする構成を採用する。
【００１２】
ガイド付きチューブ容器のキャップとして、キャップは、チューブ容器本体の注出口をシールする注出口シール突条を備えるとともに、容器口部の口部係合突条と係合するキャップ係合突条を先端に設けた係合筒部と外周面部との間に、ガイド部を収容可能な空隙部を形成することを特徴とする構成を採用する。
【発明の効果】
【００１３】
本発明のガイド付きチューブ容器は、内容物をブラシなどの手で保持する用具に塗り付けるにあたって、該内容物が充填されたチューブ容器と用具とを一定の位置関係に保持するよう位置決めするためのガイド部を設けたので、片手が不自由であったり、姿勢を保つことが難しい人でも、用具をチューブ容器の注出口近辺の適正な位置に保持することが容易となる。
【００１４】
また、手で保持する用具がガイド部で位置決めされているので、使用者が用具を適正な位置に保持するための努力が少なくてすむ分、内容物を注出するチューブ容器本体を押圧する押圧力などにも注意を払うことができ、より適切な量を注出できるようになる。
そのため、内容物を無駄にすることがないばかりでなく、床やベッドなどに落下させて不衛生になるようなことがない。
【００１５】
前記ガイド部は、チューブ容器本体と一体に成形することも、チューブ容器本体と別体で成形した後に一体に取り付けることもできるが、一体に成形すれば後工程が必要なく工程を簡略化させることができる。
前記ガイド部を別体で成形した後に一体に取り付ける場合は、さまざまなチューブ容器に取り付けることが可能となる。
【００１６】
前記ガイド部が、手で保持する用具を下方から支持する載置部と、前記手で保持する用具をチューブ容器本体側に押付けることにより、内容物の注出方向における注出口との位置決めを可能とする突当て壁部とを備えたものとする実施形態によれば、用具を載置部に載せてチューブ容器本体側に押付けるだけで注出口近辺の適正な位置に保持することができる。
【００１７】
さらに、手で保持する用具の幅と略同一、または該幅より若干大きな間隔を有する載置部を隔てて、突当て壁部に対向する位置ずれ防止突起を備える実施形態とすれば、用具が突当て壁部から離れて保持位置がずれるようなことを防ぐことができる。
【図面の簡単な説明】
【００１８】
【図１】本発明の第１実施例のガイド付きチューブ容器の説明図で、（ａ）は上面図、（ｂ）は一部を破断した側面図である。
【図２】第１実施例のガイド付きチューブ容器のキャップを外した状態を示す図で、（ａ）は上面図、（ｂ）は図（ａ）のＡ−Ａ線における断面側面図である。
【図３】第１実施例のガイド付きチューブ容器のキャップの断面側面図である。
【図４】第１実施例のガイド付きチューブ容器からブラシに内容物を塗り付ける状態を示す図で、（ａ）は全体図、（ｂ）はガイド部の拡大図である。
【図５】本発明の第２実施例のガイド付きチューブ容器の説明図で、（ａ）は上面図、（ｂ）は断面側面図である。
【図６】第２実施例のガイド付きチューブ容器のキャップを外した状態を示す図で、（ａ）は上面図、（ｂ）は断面側面図である。
【図７】第２実施例のガイド付きチューブ容器のキャップの説明図で、（ａ）は図（ｂ）のＡ−Ａ線における断面図、（ｂ）は下面図である。
【図８】第２実施例のガイド付きチューブ容器からブラシに内容物を塗り付ける状態を示す側面図である。
【発明を実施するための形態】
【００１９】
次に、本発明の実施例について、図面を参照して説明する。
【実施例１】
【００２０】
図１〜４は、ガイド部をチューブ容器本体と一体に成形した本発明のガイド付きチューブ容器を示すもので、Ａは内容物を充填したチューブ容器本体、Ｂはガイド部、Ｃはキャップ、Ｄはブラシである。
【００２１】
図１〜４に示すように、ガイド部Ｂは、チューブ容器本体Ａの胴部１から容器口部３につらなる肩部２に、チューブ容器本体Ａと一体に成形されている。
チューブ容器本体Ａは、手指等で押圧することで内容物を注出するので、柔軟な合成樹脂等の材質が好適であるが、用途や意匠性などから、アルミニウム等の金属やそれらを含むラミネートフィルム等を用いることもできる。
キャップＣも成形性などから、チューブ容器本体Ａと同様に合成樹脂とすることが望ましいが、これら各部の材料は、適宜選択することが可能である。
【００２２】
前記容器口部３には、内容物６を注出する注出口４、キャップＣと係合する口部係合突条５が設けられている。
チューブ容器本体ＡおよびキャップＣは、横断面が略楕円形の外形形状をしている。
このように、略楕円形状とすることにより、内容物の充填量が比較的少ない小型のチューブ容器であっても、ガイド部Ｂを配置する空隙部の確保を容易にすることができる。
なお、チューブ容器本体Ａとガイド部Ｂとを一体成形した本実施例においても、後述する第２実施例のように、横断面円形の外形形状とすることは可能である。
【００２３】
ガイド部Ｂは、肩部２から起立したガイドリブ１０と、補強リブ１１とからなり、その断面は略Ｔ字状をしている。
ガイド部Ｂの前記ガイドリブ１０には、ブラシＤを支持する載置部１３と、ブラシＤをチューブ容器本体Ａ側に押付けて水平方向の位置決めを可能とする突当て壁部１２とが設けられている。
【００２４】
図４に示すように、前記突当て壁部１２と前記載置部１３とにブラシ胴部３０を押付けることにより、ブラシＤを注出口４と適正な位置関係に保持することができ、ブラシ部３１の適正な位置に適切な量の内容物６を塗り付けることができる。
また、前記突当て壁部１２と載置部１３とを形成する前記ガイドリブ１０と直交する前記補強リブ１１は、前記ガイドリブ１０の変形を防ぎ、使用者の押付け力が強かったり、ガイド付きチューブ容器を落としたりしても簡単には変形しないようになっている。
【００２５】
ガイド部Ｂを拡大した図４の図（ｂ）に想像線で示すように、ガイド部Ｂには、ブラシ胴部３０の幅と略同一、または若干大きな間隔を有する載置部１３を隔てて、突当て壁部１２に対向する位置ずれ防止突起１５を備えた構成を付加することもできる。
【００２６】
このように、位置ずれ防止突起１５を設けることにより、ブラシＤをガイド部Ｂの突当て壁部１２に押付ける力が弱まっても、ブラシＤの位置ずれをよりよく防止することができる。
【００２７】
キャップＣは、図１および図３に示すように、横断面が略楕円形の外形形状を有し、外周面部２０は、頂部２１からなだらかに傾斜してチューブ容器本体Ａの肩部２をほぼ覆うようにして、肩部２に接している。
キャップＣの前記略楕円形の長径方向の周辺部には、キャップＣがチューブ容器本体Ａに装着された時に、ガイド部Ｂが収納される空隙部２８が確保される。
【００２８】
キャップＣは、注出口４をシールする注出口シール突条２４を備えるとともに、チューブ容器本体Ａに装着されたときに、容器口部３に係合するためのキャップ係合筒部２５を備えている。
前記空隙部２８は、前記係合筒部２５と外周面部２０との間に形成され、キャップＣの前記頂部２１は、ガイド部Ｂの端部１４とわずかに隙間をもつように設けられている。
【００２９】
注出口４から注出される内容物６は、図４に示すように、注出口４からブラシ部３１に塗布され、注出口４はブラシＤを押付けるガイド部Ｂの突当て壁部１２とは、注出方向においてほぼ同じ位置にある。
このような位置関係から、キャップＣの注出口シール突条２４は、頂部２１から中央周壁部２３を経て、チューブ容器本体Ａ側に凹んだ中央底部２２に形成されている。
【００３０】
図３は、キャップＣの断面側面図を示したもので、前記中央底部２２の容器側には、前記注出口シール突条２４とともに、チューブ容器本体Ａと係合するためのキャップ係合筒部２５が垂設されている。
該キャップ係合筒部２５は、その先端にキャップ係合突条２６が設けられ、該キャップ係合突条２６は、キャップＣが容器の軸方向に押圧されることにより、前記容器口部３の口部係合突条５を乗り越えて係合するように断面略くさび形状に形成されている。
【００３１】
このような第１実施例によれば、チューブ容器のガイド部に用具をあてがって保持するだけで、簡便に注出口と用具との位置関係を適正に保持することができ、前述した本発明の効果を奏する。
また、ガイド部Ｂが補強リブ１１を含む略断面Ｔ字状をしているので、比較的小さな空隙部２８でも必要な強度を確保することができ、コンパクトな容器とすることができる。
【実施例２】
【００３２】
図５〜８は、本発明のガイド付きチューブ容器の第２実施例を示すもので、ガイド部Ｂａをチューブ容器本体Ａａとは別体で成形した後、チューブ容器本体Ａａに一体に取り付けたものである。
図中、前記第１実施例と同様の構成については同一の名称として符号には添え字ａを付して示し、簡単に説明する。
【００３３】
図５〜８に示すように、ガイド部Ｂａは、チューブ容器本体Ａａと別体に成形されており、ブラシＤを位置決めするための載置部１３ａと、突当て壁部１２ａと、チューブ容器本体Ａａに取り付けるための取付け基部１６とからなっている。
本実施例では、前記取付け基部１６は、チューブ容器本体Ａａの肩部２ａと容器口部３ａの下部にかけて密着する形状とされ、嵌着により一体に取り付けられるか、溶着または接着によりチューブ容器本体Ａａに一体に固定され取り付けられる。
また、螺合によって嵌着することも可能である。
【００３４】
嵌着により取り付けられる場合は、嵌合部に締め代を設け、しまり嵌めとして圧入してもよいし、係合部を設けて係合部を押圧嵌入させてもよい。
溶着方法としては、高周波溶着が一般的であるが、方法は限定されない。
また、前記取付け基部１６をチューブ容器本体Ａａに一旦嵌着してから、さらに溶着、または接着してガイド部Ｂａをより強固に一体結合するようにしてもよい。
【００３５】
チューブ容器本体ＡａおよびキャップＣａは、横断面円形の外形形状を有し、チューブ容器本体Ａａの外周を形成する胴部１ａと、肩部２ａおよび容器口部３ａとを形成する前記胴部１ａ以外の部分とを別体で成形してから接合している。
【００３６】
これらのチューブ容器本体ＡａおよびキャップＣａは、合成樹脂からなることが好ましいが、第１実施例について前述したとおり、充填される内容物や必要とされる強度、外観などによって、アルミニウム、ラミネートフィルムなど、種々の柔軟な材料から適宜選択されてもよい。
【００３７】
ガイド部Ｂａは、注出口４ａの中心軸に直交する方向にブラシＤが保持される通常の使用状態において、全体としてブラシＤの軸方向に一定の幅を有する形状とされる。
【００３８】
図７に示すように、キャップＣａには、チューブ容器本体Ａａと係合するために、中央底部２２ａからキャップ係合筒部２５ａが容器側に垂設されている。
該キャップ係合筒部２５ａは、その先端に容器口部３ａの口部係合突条５ａと係合するキャップ係合突条２６ａと、該キャップ係合突条２６ａを含んで前記キャップ係合筒部２５ａにすり割りを形成するキャップ係合スリット２７とを備えている。
該キャップ係合スリット２７は、キャップ係合突条２６ａが口部係合突条５ａを乗り越えて係合するために撓むことを容易にし、キャップＣａの取付け、取り外しを容易にすることができる。
【００３９】
第２実施例においても、チューブ容器のガイド部に用具をあてがって保持するだけで、簡便に注出口と用具との位置関係を適正に保持することができ、前述した発明の効果を奏する。
【００４０】
また、ガイド部Ｂａをブラシの軸方向に一定の幅を有する形状としたので、ブラシＤを保持するガイド面を大きくとることができ、より安定的にブラシＤの位置を保持することができるという効果を奏する。
容器口部３ａと係合するキャップ係合筒部２５ａは、キャップ係合スリット２７を有しているので、口部係合突条５ａと係合するキャップ係合突条２６ａが撓むことを許容して、キャップＣａの取付け、取り外しが容易となるという効果をも奏する。
【００４１】
上記各実施例では、ブラシに内容物を塗り付ける歯磨きチューブ容器の例を示したが、本発明は、実施例に限定されない。
本発明のガイド付きチューブ容器は、ペースト状物を充填したチューブ容器本体にガイド部を設けるだけの簡単な構造で、ペースト状物を塗り付ける用具を適正な位置で適切な量を注出することができればよいので、歯磨きチューブ容器ばかりでなく、櫛や毛髪ブラシなどに整髪剤を塗り付ける整髪料チューブ容器や、スプーン、フォークなどにペースト状食料を塗り付ける食料用チューブ容器、刷毛などにペースト状塗料を塗り付ける塗料用チューブ容器などであってもよい。
【産業上の利用可能性】
【００４２】
本発明のガイド付きチューブ容器は、内容物を充填したチューブ容器本体にガイド部を設けるだけの簡単な構造で、内容物を塗り付ける用具を適正な位置で適切な量を注出することができるので、介助を必要とする人が使用する保持用具をガイドするチューブ容器として、チューブ容器に各種の充填内容物を収納して使用でき、広範な用途に利用することができる。
【符号の説明】
【００４３】
Ａ  Ａａ      チューブ容器本体
Ｂ  Ｂａ      ガイド部
Ｃ  Ｃａ      キャップ
Ｄ            ブラシ
１  １ａ      胴部
２  ２ａ      肩部
３  ３ａ      容器口部
４  ４ａ      注出口
５  ５ａ      口部係合突条
６            内容物
１０          ガイドリブ
１１          補強リブ
１２  １２ａ  突当て壁部
１３  １３ａ  載置部
１４          端部
１５          位置ずれ防止突起
１６          取付け基部
２０  ２０ａ  外周面部
２１  ２１ａ  頂部
２２  ２２ａ  中央底部
２３  ２３ａ  中央周壁部
２４  ２４ａ  注出口シール突条
２５  ２５ａ  キャップ係合筒部
２６  ２６ａ  キャップ係合突条
２７          キャップ係合スリット
２８  ２８ａ  空隙部
３０          ブラシ胴部
３１          ブラシ部
【図１】
2010260577.tif 000003
【図２】
2010260577.tif 000004
【図３】
2010260577.tif 000005
【図４】
2010260577.tif 000006
【図５】
2010260577.tif 000007
【図６】
2010260577.tif 000008
【図７】
2010260577.tif 000009
【図８】
2010260577.tif 000010